(57)【要約】【課題】上端側が開口している四角柱状の外部ケースと、外部ケース内に嵌装される内部ユニットと、内部ユニットが嵌装されている外部ケースを上側から開閉するカバー体とからなり、カバー体の開閉動作を繰り返しても、内部ユニットが上側に向かって移動することにより外部ケースから浮き上がることのないライター。【解決手段】外部ケースは下端側に底板を有する。内部ユニットの上部内側に上端が固定されて内部ユニット内を下側方向に向かって延びる筒状の発火石収納パイプの下端に取り付けられ、発火石収納パイプに収容されていて上部に発火石を備える石押しスプリングの下部を上端側で支持するスプリング支持具が、底板に形成されている挿通孔を介して底板の外部から外部ケース内側に向かって装入され、外部ケースの底板により上側方向に向かう移動が規制されている状態で発火石収納パイプの下端に取り付けられる。【選択図】図１
2009293869.tif 000002
【特許請求の範囲】
【請求項１】
上端側が開口している四角柱状の外部ケースと、
当該外部ケース内に当該外部ケースの上側から下側に向けて嵌装される内部ユニットと、
前記内部ユニットの上部外側の一側に配備される発火車と、
前記内部ユニットの上部内側に上端が固定的に取り付けられて前記内部ユニット内を下側方向に向かって延びる筒状の発火石収納パイプと、
前記発火石収納パイプ内に収容されていて、上部に発火石を備え、前記発火石収納パイプの下端に取り付けられるスプリング支持具の上端側によって下部が支持され、前記発火石を下側から上側方向に向けて付勢し、前記発火石を前記発火車の下側に配置させる石押しスプリングと、
前記発火車が前記内部ユニットの上部外側に配備されている側に対向する側である他側における前記外部ケースの上端に一側の下端が回動可能に連結され、当該一側の下端を中心として回動することにより、前記内部ユニットが嵌装されている外部ケースの上側を開放、閉鎖するカバー体と
を備えているライターであって、
前記外部ケースは下端側に底板を備えており、
前記スプリング支持具は前記底板に形成されている挿通孔を介して前記底板の外部から前記外部ケースの内側に向かって装入され、前記外部ケースの底板によって当該スプリング支持具の上側方向に向かう移動が規制されている状態で前記発火石収納パイプの下端に取り付けられる
ことを特徴とするライター。
【請求項２】
前記スプリング支持具は、前記底板の挿通孔にネジ止めされて前記スプリング支持具の上側方向に向かう移動が規制されることを特徴とする請求項１記載のライター。
【請求項３】
前記内部ユニットは液体燃料を含浸保持する吸液繊維材よりなる中綿を内部に収容しており、前記外部ケースの底板は、当該中綿に前記液体燃料を供給する際に使用する開閉可能な燃料供給用開口を備えている
ことを特徴とする請求項１又は２記載のライター。
【発明の詳細な説明】
【技術分野】
【０００１】
この発明はライターに関する。
【背景技術】
【０００２】
液体燃料を使用するオイルライターに関しては従来から種々の提案がされている（例えば、特許文献１、２）。
【０００３】
このようなオイルライターは、一般的に、図２に図示するように、上端側が開口している四角柱状の外部ケース４ａと、外部ケース４ａ内に外部ケース４ａの上側から下側に向けて嵌装される内部ユニット２と、内部ユニット２を収容している外部ケース４ａを上側から閉鎖するカバー体４ｂとからで構成されている。外部ケース４ａ、内部ユニット２、カバー体４ｂなどは、いずれも真鍮などからなる金属製である。
【０００４】
カバー体４ｂは一側（図２図示の例では左側）の下端が外部ケース４ａの一側（図２図示の例では左側）の上端に、矢印９、１０で示すように回動可能に連結され、カバー体４ｂが、この一側（図２図示の例では左側）の下端を中心として矢印９、１０で示すように回動することにより、内部ユニット２が嵌装されている外部ケース４ａの上側を開放、閉鎖する。
【０００５】
この従来のライターにおける内部ユニット２の一般的な構造・形態を図５（ａ）〜（ｃ）を用いて説明する。
【０００６】
内部ユニット２内には液体燃料を含浸保持する吸液繊維材よりなる中綿３０が収容されている。
【０００７】
内部ユニット２の上部には上端側が開口している四角柱状の風除け室１５が配備されている。風除け室１５内には芯２０の上端が配備され、この芯２０の下端側が内部ユニット２の上部を通って内部ユニット２の内部に向かって延び、中綿３０内に挿通している。
【０００８】
風除け室１５の一側（外部ケース４ａにおいてその上端にカバー体４ｂの一側（図２中、左側）の下端が回動可能に連結されている外部ケース４ａの一側（図２図示の例では左側）に対向する側に該当し、図５（ａ）では右側）は、開放されている。
【０００９】
内部ユニット２の上部外側の一側（外部ケース４ａにおいてその上端にカバー体４ｂの一側（図２中、左側）の下端が回動可能に連結されている外部ケース４ａの一側（図２図示の例では左側）に対向する側に該当し、図２、図５図示の例では右側）に、発火車１６が回動可能に配備されている。
【００１０】
発火車１６は、その一側（図５中、左側）の少なくとも一部が風除け室１５の内部に位置し、他側（図５中、右側）が風除け室１５の外部に位置するようになっている。
【００１１】
上部外側に発火車１６が配備されている部分の内部ユニット２の内側には筒状の発火石収納パイプ５が配備されている。筒状の発火石収納パイプ５は、その上端が内部ユニット２の上部内側に固定的に取り付けられ、内部ユニット２内を下側方向に向かって延びている。
【００１２】
発火石収納パイプ５内には石押しスプリング８が収容されている。石押しスプリング８は、上部に発火石１１を備え、発火石収納パイプ５の下端に取り付けられるスプリング支持具６の上端側によって下部が支持されている（図５（ｃ））。
【００１３】
こうして、発火石１１は、発火石収納パイプ５内に収容されている石押しスプリング８によって下側から上側方向に向けて矢印１８で示すように付勢され、発火車１６の下側に配置されるようになっている。
【００１４】
石押しスプリング８によって発火石１１は常に上側方向（矢印１８方向）に向けて付勢され、発火車１６の外周表面に発火石１１が接触する。
【００１５】
スプリング支持具６の発火石収納パイプ５下端への取り付け（図５（ｂ））は、一般的に、発火石収納パイプ５下端内周壁にネジ溝が形成され、スプリング支持具６の上端外周にこれに対応するネジ山７が形成され、スプリング支持具６を発火石収納パイプ５下端にネジ止めして行われている。
【００１６】
発火車１６が内部ユニット２の上部外側に配備されている側（図２、図５（ａ）中、右側）に対向する側である他側（図２、図５（ａ）中、左側）における外部ケース４ａの上端に一側（図２中、左側）の下端が回動可能に連結されているカバー体４ｂを、図２に矢印９で示す方向に回動させて内部ユニット２の上側を開放し、発火車１６を矢印２１方向に回動させると、発火石１１は発火車１６の外周表面に常に接しているので、発火車１６の外周表面が発火石１１と擦れ合い、風除け室１５内の芯２０に向かって火花が飛び、着火する。
【００１７】
芯２０に着火したライターを用いてタバコなどに火をつける所定の使用動作を行なったならば、カバー体４ｂを図２に矢印１０で示す方向に回動させて内部ユニット２の上側を閉鎖し、内部ユニット２内に収容されている中綿３０に含浸保持されている液体燃料が芯２０を介して蒸発していかないようにする。
【特許文献１】特表２００３−５２９０４０号公報
【特許文献２】特表２００６−５１９３５６号公報
【発明の開示】
【発明が解決しようとする課題】
【００１８】
前述した従来の構造・形態のオイルライターにおいては、カバー体４ｂを図２に矢印９、１０で示すように回動させる開閉動作に使用感を持たせる、等の目的で、カバー体４ｂは所定の重量を有するものになっているのが一般的である。
【００１９】
一方、内部ユニット２は上端側が開口している四角柱状の外部ケース４ａ内に外部ケース４ａの上側から下側方向に向けて嵌装されているだけである。そこで、カバー体４ｂを図２に矢印９、１０で示すように回動させる開閉動作を繰り返すうちに、カバー体４ｂが所定の重量を有することから、内部ユニット２が上側（矢印１７で示す方向）に向かって移動し、外部ケース４ａから浮き上がる現象が生じる。
【００２０】
この場合には、内部ユニット２を外部ケース４ａ内に手で矢印１７と反対方向に押し込む、等して、もとの状態に戻す必要があった。
【００２１】
そこで、この発明は、前述した従来の構造・形態のオイルライターであって、カバー体４ｂを図２に矢印９、１０で示すように回動させる開閉動作を繰り返しても、内部ユニット２が上側（矢印１７で示す方向）に向かって移動し、外部ケース４ａから浮き上がる現象が生じることのないライターを提供することを目的にしている。
【課題を解決するための手段】
【００２２】
前記目的を達成するため、本願は以下の各発明を提案するものである。
【００２３】
請求項１記載の発明は、
上端側が開口している四角柱状の外部ケースと、
当該外部ケース内に当該外部ケースの上側から下側に向けて嵌装される内部ユニットと、
前記内部ユニットの上部外側の一側に配備される発火車と、
前記内部ユニットの上部内側に上端が固定的に取り付けられて前記内部ユニット内を下側方向に向かって延びる筒状の発火石収納パイプと、
前記発火石収納パイプ内に収容されていて、上部に発火石を備え、前記発火石収納パイプの下端に取り付けられるスプリング支持具の上端側によって下部が支持され、前記発火石を下側から上側方向に向けて付勢し、前記発火石を前記発火車の下側に配置させる石押しスプリングと、
前記発火車が前記内部ユニットの上部外側に配備されている側に対向する側である他側における前記外部ケースの上端に一側の下端が回動可能に連結され、当該一側の下端を中心として回動することにより、前記内部ユニットが嵌装されている外部ケースの上側を開放、閉鎖するカバー体と
を備えているライターであって、
前記外部ケースは下端側に底板を備えており、
前記スプリング支持具は前記底板に形成されている挿通孔を介して前記底板の外部から前記外部ケースの内側に向かって装入され、前記外部ケースの底板によって当該スプリング支持具の上側方向に向かう移動が規制されている状態で前記発火石収納パイプの下端に取り付けられる
ことを特徴とするライターである。
【００２４】
請求項２記載の発明は、
前記スプリング支持具は、前記底板の挿通孔にネジ止めされて前記スプリング支持具の上側方向に向かう移動が規制されることを特徴とする請求項１記載のライターである。
【００２５】
請求項３記載の発明は、
前記内部ユニットは液体燃料を含浸保持する吸液繊維材よりなる中綿を内部に収容しており、前記外部ケースの底板は、当該中綿に前記液体燃料を供給する際に使用する開閉可能な燃料供給用開口を備えている
ことを特徴とする請求項１又は２記載のライターである。
【発明の効果】
【００２６】
この発明によれば、上端側が開口している四角柱状の外部ケースと、当該外部ケース内に当該外部ケースの上側から下側に向けて嵌装される内部ユニットと、内部ユニットを収容している外部ケースを上側から閉鎖するカバー体とからで構成され、カバー体は一側の下端が外部ケースの対応する一側に回動可能に連結され、カバー体が、この一側の下端を中心として回動することにより、内部ユニットが嵌装されている外部ケースの上側を開放、閉鎖するオイルライターにおいて、カバー体を回動させる開閉動作を繰り返しても、内部ユニットが上側に向かって移動し、外部ケースから浮き上がる現象が生じないライターを提供することができる。
【発明を実施するための最良の形態】
【００２７】
以下、添付図面を参照して本発明の好ましい実施形態を説明する。
【００２８】
本発明のライター１の構造は、基本的には従来のものと同一であるので、図２、図５（ａ）〜図５（ｃ）を参照して背景技術の欄で説明したことと共通する部分についてはその説明を省略し、また、共通する構成要素には共通する符号をつけてその説明を省略する。
【００２９】
そこで、図２、図５（ａ）〜図５（ｃ）を参照して背景技術の欄で説明した従来のライターの構造と異なる本発明の特徴点のみを以下に説明する。
【００３０】
本発明のライター１においては、外部ケース４ａがその下端側に底板３を備えている。
【００３１】
底板３は、挿通孔１２と、燃料供給用開口１４とを備えている（図３（ｂ））。
【００３２】
そして、本発明のライター１においては、スプリング支持具６は底板３に形成されている挿通孔１２を介して底板３の外部から外部ケース４ａの内側に向かって装入され（図２）、外部ケース４ａの底板３によってスプリング支持具６の上側方向（矢印１７、１８方向）に向かう移動が規制されている状態で発火石収納パイプ５の下端に取り付けられる。
【００３３】
なお、スプリング支持具６の発火石収納パイプ５の下端への取り付けは、従来と同じく、発火石収納パイプ５下端内周壁にネジ溝を形成し、スプリング支持具６の上端外周にこれに対応するネジ山７を形成しておいて、スプリング支持具６を発火石収納パイプ５下端にネジ止めするようにできる。
【００３４】
スプリング支持具６の上端外周に形成しているネジ山７を発火石収納パイプ５下端内周壁に形成されているネジ溝に螺合することによってスプリング支持具６を発火石収納パイプ５の下端に取り付けるので、一部を省略して示した図１に図示しているように、スプリング支持具６の上側面６ａ（図４（ａ））を、底板３の挿通孔１２周縁に形成されている段部１１に当接させた状態で、スプリング支持具６の上端外周に形成しているネジ山７を発火石収納パイプ５下端内周壁に形成されているネジ溝に螺合させてスプリング支持具６を発火石収納パイプ５の下端に取り付け、スプリング支持具６の上側面６ａが、底板３の挿通孔１２周縁に形成されている段部１１に当接していることによって、スプリング支持具６の上側方向（矢印１７、１８方向）に向かう移動を規制するようにできる。
【００３５】
また、スプリング支持具６の上端外周に形成しているネジ山７に対応するネジ溝を挿通孔１２の内周壁に形成しておき、スプリング支持具６の上端外周に形成しているネジ山７を発火石収納パイプ５下端内周壁に形成されているネジ溝に螺合させてスプリング支持具６を発火石収納パイプ５の下端に取り付けると同時に、プリング支持具６の上端外周に形成しているネジ山７を挿通孔１２の内周壁に形成されているネジ溝に螺合させることによって、スプリング支持具６の上側方向（矢印１７、１８方向）に向かう移動を規制するようにすることもできる。
【００３６】
このように、本発明のライター１においては、上部外側に発火車１６が配備されている部分の内部ユニット２の内側上部に上端が固定的に取り付けられ、内部ユニット２内を下側方向に向かって延びている筒状の発火石収納パイプ５の下端へのスプリング支持具６の取り付けが、外部ケース４ａの底板３に形成されている挿通孔１２を介して底板３の外部からスプリング支持具６を外部ケース４ａの内側に向かって装入し（図２）、外部ケース４ａの底板３によってスプリング支持具６の上側方向（矢印１７、１８方向）に向かう移動が規制されている状態で行われる。
【００３７】
この結果、カバー体４ｂを図２に矢印９、１０で示すように回動させる開閉動作を繰り返すうちに、内部ユニット２が上側（矢印１７で示す方向）に向かって移動し、外部ケース４ａから浮き上がる現象が生じることはない。
【００３８】
底板３に形成されている燃料供給用開口１４は、閉鎖具２１（図４（ｃ））によって開閉可能になっている。
【００３９】
図示の実施形態では、閉鎖具２１は平面視で円形状の円板２１ａの上部にネジ部２３を備えており（図４（ｃ））、その一方、燃料供給用開口１４の内周壁には、ネジ部２３のネジ山に対応するネジ溝が形成されている。
【００４０】
そこで、閉鎖具２１のネジ部２３を燃料供給用開口１４に螺合させて、図３（ａ）図示のように燃料供給用開口１４を閉鎖することができる。中綿３０に含浸されている液体燃料が少なくなってきたならば、閉鎖具２１を回転させてネジ部２３を燃料供給用開口１４から抜き取り、燃料供給用開口１４を開放して、ここから液体燃料を供給する。
【００４１】
閉鎖具２１の円板２１ａは、図３（ａ）図示のように平面視で円形状で、その直径の大きさは、少なくとも、外部ケース４ａの幅（Ｈ）（図３（ａ））より大きいことが望ましい。
【００４２】
底板３の燃料供給用開口１４周縁に形成されている段部１３は、閉鎖具２１の円板２１ａの厚み（Ｄ）（図４（ｃ））に対応する深さを有し、切り欠き部１３ａを備えている。
【００４３】
前述したように、閉鎖具２１の円板２１ａの直径は少なくともケース４ａの幅（Ｈ）（図３（ａ））より大きいので、閉鎖具２１を燃料供給用開口１４に取り付けた場合、閉鎖具２１の円板２１ａの外周が、切り欠き部１３ａに現れることになる。
【００４４】
そこで、この部分を利用して、閉鎖具２１の円板２１ａを矢印３１、３２方向に回転させることが容易になり、閉鎖具２１を簡単に燃料供給用開口１４に取り付けたり、取り外したりすることができる。
【００４５】
なお、閉鎖具２１の円板２１ａの外周に図３（ａ）図示のように溝部を形成しておけば、円板２１ａを矢印３１、３２方向に回転させる際により有利である。
【００４６】
底板３の挿通孔１２周縁に形成されている段部１１も、スプリング支持具６の厚み（ｄ）（図４（ａ））に対応する深さを有している。そこで、スプリング支持具６の上側面６ａ（図４（ａ））を、底板３の挿通孔１２周縁に形成されている段部１１に当接させた状態で、スプリング支持具６の上端外周に形成しているネジ山７を発火石収納パイプ５下端内周壁に形成されているネジ溝に螺合させてスプリング支持具６を発火石収納パイプ５の下端に取り付けた際や、スプリング支持具６の上端外周に形成しているネジ山７を発火石収納パイプ５下端内周壁に形成されているネジ溝に螺合させてスプリング支持具６を発火石収納パイプ５の下端に取り付けると同時にプリング支持具６の上端外周に形成しているネジ山７を挿通孔１２の内周壁に形成されているネジ溝に螺合させた際には、図３（ａ）図示のようにスプリング支持具６の下端面は底板３の外周面と面一になってしまい、スプリング支持具６を取り外すことが簡単ではなくなる。
【００４７】
そこで、スプリング支持具６の下端面に溝２４を形成しておき、この溝２４の幅（Ｗ）を閉鎖具２１の円板２１ａの厚み（Ｄ）と同一にしておくことによって、閉鎖具２１を燃料供給用開口１４から取り外したのち、円板２１ａの外周をスプリング支持具６の下端面の溝２４に装入し、スプリング支持具６を回転させて、発火石収納パイプ５下端から抜き取ることができる。
【００４８】
以上、添付図面を参照して本発明の好ましい実施形態を説明したが、本発明はかかる実施形態に限定されるものではなく、特許請求の範囲の記載から把握される技術的範囲において種々の形態に変更可能である。
【図面の簡単な説明】
【００４９】
【図１】外部ケースとカバー体とを省略したこの発明のライターの構造を説明する側面図。
【図２】この発明のライターのカバー体が開いて内部ケース上側が開放されている状態を説明する側面図。
【図３】（ａ）この発明のライターにおける外部ケースの底板部分を説明する斜視図、（ｂ）スプリング支持具、閉鎖具が抜き取られた状態の外部ケースの底板における挿通孔、燃料供給用開口の状態を説明する一部を省略した斜視図、（ｃ）スプリング支持具、閉鎖具が抜き取られた状態の外部ケースの底板における挿通孔、燃料供給用開口の状態を説明する底面図。
【図４】（ａ）スプリング支持具の一例を説明する側面図、（ｂ）スプリング支持具の底面図、（ｃ）閉鎖具の側面図。
【図５】（ａ）従来のライターの内部ケースの構造を説明する側面図、（ｂ）従来のライターの内部ケースにおける発火石収納パイプの下端の構造を説明する一部を省略した側面図、（ｃ）従来のライターの内部ケースにおける石押しスプリングの下端側の構造を説明する一部を省略した側面図。
【符号の説明】
【００５０】
１    ライター
２    内部ユニット
３    底板
４ａ  外部ケース
４ｂ  カバー体
５    発火石収納パイプ
６    スプリング支持具
８    石押しスプリング
１１  発火石
１２  挿通孔
１４  燃料供給用開口
１５  風除け室
１６  発火車
２０  芯
２１  閉鎖具
【図１】
2009293869.tif 000003
【図２】
2009293869.tif 000004
【図３】
2009293869.tif 000005
【図４】
2009293869.tif 000006
【図５】
2009293869.tif 000007